(57)【特許請求の範囲】
【請求項１】
コンピュータ機器を保管するコンピュータ機器保管用ラックにおいて、ラック内部を上下に仕切る載置棚を配設し、各載置棚で仕切られたスペースを独立した保管スペースとして閉塞する複数の扉を各保管スペースの開口部に装着すると共に、扉ごとに施錠可能なロック機構を設け、前記ラックの側面に、保管スペース内の熱を各保管スペースごとに放出する排気孔を設けたコンピュータ機器保管用ラックにおいて、前記ラックの上下部から各保管スペースに至る複数本のチムニーを設け、ラックの内部に配線される各種ケーブルを、目的の保管スペースに至るまで各チムニーで保護することを特徴とするコンピュータ機器保管用ラック。
【請求項２】
前記チムニーは、断面コ字形状の杆体を一対組み合わせて角筒状に形成され、前記ラック内部を仕切る載置棚に開穿したケーブル挿通孔に挿通し目的の保管スペースに向けて端部が開口するように配設された請求項１記載の保管用ラック。
【発明の詳細な説明】
【０００１】
【発明の属する技術分野】
本発明は、コンピュータ機器を保管するコンピュータ機器保管用ラックに係り、特に、複数のサーバーを個々に管理するのに好適なコンピュータ機器保管用ラックに関するものである。
【０００２】
【従来の技術】
従来より、コンピュータ機器を保管するラックとして、例えば、ＥＩＡ規格の１９インチラックが使用されている。この１９インチラックは、多種多様のコンピュータ機器の搭載を可能にしており、ラックの規格が統一されていることで、コンピュータ機器を合理的に管理保管することができる。
【０００３】
コンピュータ機器の中でも、特にサーバーを収容するラックとして、特開平11-225835 号公報に記載された移動式サーバーラックが提案されている。このサーバーラックは、複数台搭載したサーバーの管理を一括一元管理できるようにするため、複数台のサーバーを移動自在な複数台のラック内に保管するものである。
【０００４】
更に、複数のユーザーが使用する多数のサーバーを管理するハウジング業者等では、一つのラックに複数のサーバーを搭載する混載型のラックが使用されている。この種の混載型ラックでは、設置スペースを確保するために、仕切りのない一体型のラックが使用されている。
【０００５】
【発明が解決しようとする課題】
ところが、これら従来のラックに複数の機器を混載した場合、個々の機器ごとのセキュリティを保つことは困難であった。
【０００６】
すなわち、前述の１９インチラックでは、一つの空間内に複数の棚板等を介して複数の機器を保管する構造になっている。このため、ラック開口部全体を覆う扉を装着することにより、ラック全体のセキュリティを保つことは可能になっても、ラック内部に保管した個々の機器について、それぞれ個別のセキュリティを保つことはできない。
【０００７】
また、移動式サーバーラックでは、移動する複数のラック内に複数のサーバーを保管する為に、複数のラックを移動させて単一の閉空間を形成し、この閉空間内に複数のサーバーを保管する構造を採用している。その為、搭載した各サーバーをラックごと移動させることはできても、各サーバーのセキュリティを保てるような構造にはなっていない。
【０００８】
更に、一つのラックに複数のサーバーを搭載する混載型のラックでは、設置スペースを優先するために、各サーバー間の仕切りは装着されておらず、サーバーごとのセキュリティは全く考慮されていないのが実状である。
【０００９】
このように、従来のラックにおいて、複数の機器を混載した場合に、個々の機器ごとのセキュリティを保つことは不可能であった。
【００１０】
ところが、一つのラックに複数のサーバー等を搭載した場合は、次のような問題が生じる。すなわち、複数のユーザーが一つのラックを共有することになると各ユーザーが使用するそれぞれの機器について、誤った操作や不正使用等に関するセキュリティが保たれず、全く無防備な状態になる。また、各機器に配線される電源コードや通信コード等も共有のスペースに配線されるので、配線時に他の配線に影響を与えたり、間違いが生じたりする虞があるなど、電源コードや通信コード等に関するセキュリティの問題も残されている。
【００１１】
そこで、本発明は上述の課題を解消すべく創出されたもので、一つのラックに混載した複数台のコンピュータ機器について、個々のセキュリティを確保することで、複数のユーザーが同一のラックを使用することが可能になり、各コンピュータ機器に配線する配線上の間違い等を防止できるコンピュータ機器保管用ラックの提供を目的とする。
【００１２】
【課題を解決するための手段】
上述の目的を達成すべく本発明の第１の手段は、コンピュータ機器を保管するコンピュータ機器保管用ラックにおいて、ラック１内部を上下に仕切る載置棚２を配設し、各載置棚２で仕切られたスペースを独立した保管スペースＳとして閉塞する複数枚の扉３を各保管スペースＳの開口部に装着すると共に、扉３ごとに施錠可能なロック機構４を設け、ラック１の側面に、保管スペースＳ内の熱を各保管スペースＳごとに放出する排気孔１Ｆを設けたコンピュータ機器保管用ラックにおいて、ラック１の上下部から各保管スペースＳに至る複数本のチムニー５を設け、ラック１の内部に配線される各種ケーブルを、目的の保管スペースＳに至るまで各チムニー５で保護することにある。
【００１３】
第２の手段におけるチムニー５は、断面コ字形状の杆体５Ａを一対組み合わせて角筒状に形成され、前記ラック１内部を仕切る載置棚２に開穿したケーブル挿通孔２Ａに挿通し目的の保管スペースＳに向けて端部が開口するように配設されたことを課題解消のための手段とする。
【００１４】
本発明によると、一つの保管用ラック１において、保管スペースＳごとに施錠可能な複数の扉３によって個々のスペースのセキュリティが保たれる。また、複数本のチムニー５によって各種のケーブルに関するセキュリティを保つようにしている。
【００１５】
【発明の実施の形態】
以下、図面を参照して本発明の実施の形態を説明する。本発明は、コンピュータ機器を搭載するラックを改良したもので、例えば、サーバー混載用のラックなどとして複数ユーザーの複数機器を保管する際に使用し、１９インチラックや他の混載用ラックとして使用することができる。
【００１６】
本発明におけるラック１は、図１に示す如く、左右側板１Ａ、１Ｂに囲まれており、また、図５に示す如く、このラック１内部には、載置棚２で仕切られた複数の保管スペースＳが上下に設けられているものである。
【００１７】
保管スペースＳを形成する載置棚２は、コンピュータ機器を載置する棚として機能し、また、ラック１の内部スペースを上下に仕切る隔壁となることで、内部スペースを複数の独立した保管スペースＳに形成している（図５参照）。この載置棚２には、図３に示すように、後述するチムニー５や各種ケーブルを挿通するケーブル挿通孔２Ａを開穿している。図３の載置棚２は、正面奥の左右に一対のケーブル挿通孔２Ａを開穿し、各ケーブル挿通孔２Ａに、それぞれ２本のチムニー５を挿通できるようにしている。同図において符号２Ｂは補強枠である。更にラック１の最上段には、図４に示すような補強用フレーム７を配設することで、チムニー５の支持強度を高めている。この補強用フレーム７にも載置棚２と同様のケーブル挿通孔７Ａを開穿している。また、本発明ラック１を形成する他の手段として、保管スペースＳごとにブロック状のラック１を単体で形成し、このブロック状のラック１を複数個積み重ねて連結してもよい（図示せず）。
【００１８】
保管スペースＳの左右側板１Ａ、１Ｂに、保管スペースＳ内の熱を放出する排気孔１Ｆを開穿している（図１参照）。この排気孔１Ｆは、保管スペースＳごとに設けており、一部の機器が発生する熱が他の機器に影響を与えないようにしている。図示の排気孔１Ｆは多数のスリット形状を成しているが、排気孔１Ｆの形状は任意に変更できる。
【００１９】
保管スペースＳの開口部に開閉自在に設ける扉３は、保管スペースＳごとに装着する。それぞれの扉３には、各別に施錠可能なロック機構４を設けている。ロック機構４の種類は従来技術から任意に選択できるものであるが、例えば、電子ロックとシリンダー錠とを組み合わせたロック機構４を採用すると、高度なセキュリティを保つことが可能になる（図示せず）。図１に示すように、この扉３にも排気孔３Ａを設けてあり、保管スペースＳの熱をより効率良く放出するようにしている。また、ラック１の背面にも扉３と同様の後扉３Ｂを設けることで保管スペースＳ内の管理を容易ならしめている（図２参照）。
【００２０】
チムニー５は、ラック１の内部に配線される各種ケーブルを保護するもので、ラック１の上下端部から各保管スペースＳに至るように装着される（図５参照）。このチムニー５は、保管スペースＳごとに装着されており、各保管スペースＳに配線される各種ケーブルは、目的の保管スペースＳに届くまでチムニー５に保護されることになる。このチムニー５の形状は、各種ケーブルを保護する形状であればよく、金属材や合成樹脂材等のケーブル配線用の配管を使用することができる。また、各保管スペースＳに、上下二方向から各保管スペースＳに届く二種類のチムニー５を配設することで、ケーブルの配線に都合の良いチムニー５を選択することが可能になり、しかも、各チムニー５を電源用配線と通信用配線とに分けて使用することも可能である。
【００２１】
図示のチムニー５は、断面コ字形状の金属製杆体５Ａを一対組み合わせたもので、取付金具６に連結して角筒状に形成している（図７参照）。そして、載置棚２に開穿したケーブル挿通孔２Ａに、このチムニー５を挿通し、目的の保管スペースＳに向けて端部が開口するように配設する（図６参照）。このとき使用する取付金具６は、チムニー５を内部に嵌合する平面コ字形状の金具本体６Ａと、この金具本体６Ａの端部から外方向に張り出した一対の固定片６Ｂと、これら一対の固定片６Ｂの間で外方向に張り出した係止片６Ｃとで構成されている（図７参照）。そして金具本体６Ａの内側に嵌合した一対の杆体５Ａを連結ボルト６Ｄで連結すると、取付金具６を装着したチムニー５が形成される。
【００２２】
取付金具６の使用方法は、取付金具６の金具本体６Ａをケーブル挿通孔２Ａ内に差し込んでチムニー５の開口端部を固定し、あるいは、ケーブル挿通孔２Ａ周囲の載置棚２面に固定片６Ｂと係止片６Ｃとを当接させ、固定片６Ｂと載置棚２とを固定ネジ６Ｅで連結する（図６参照）。
【００２３】
【発明の効果】
本発明は、上述の如く構成したことにより、当初の目的を達成する。すなわちラック１内部を上下に仕切る載置棚２を配設し、各載置棚２で仕切られたスペースを独立した保管スペースＳとして閉塞する複数枚の扉３を各保管スペースＳの開口部に装着すると共に、扉３ごとに施錠可能なロック機構４を設けたことにより、各保管スペースＳ個々のセキュリティを保つことができ、複数のユーザーが同一のラックを使用する場合でも安全に使用することが可能になった。
【００２４】
しかも、ラック１の側面に、保管スペースＳ内の熱を保管スペースＳごとに放出する排気孔１Ａを設けているので、一つの機器から発生する発熱が、他の機器に影響を与える不都合を極力防止することができる。
【００２５】
また、ラック１の上下端部から各保管スペースＳに至る複数本のチムニー５を設け、ラック１の内部に配線される各種ケーブルを、目的の保管スペースＳに至るまで各チムニー５で保護することで、各種のケーブルに関するセキュリティを複数本のチムニー５が保つことができ、各コンピュータ機器に各種ケーブルを配線する際の配線上の間違い等を防止することができる。したがって、複数のユーザーが同一のラックを使用することが可能になり、各コンピュータ機器に配線する配線上の間違い等を防止できる。この結果、複数のユーザーが同一のラックを使用する場合でも安全に使用することが可能になった。
【００２６】
更に、チムニー５は、断面コ字形状の杆体５Ａを一対組み合わせて角筒状に形成され、前記ラック１内部を仕切る載置棚２に開穿したケーブル挿通孔２Ａに挿通して目的の保管スペースＳに向けて端部が開口するように配設されるので、載置棚２へのチムニー５の装着工程が容易になり、しかも、このチムニー５によって各種ケーブルを極めて強固に保護することができる。
【００２７】
このように、本発明によると、混載した各コンピュータ機器のセキュリティや個々の配線セキュリティを確保することで、複数のユーザーが同一のラックを使用することが可能になり、各コンピュータ機器に配線する配線上の間違い等を防止することも可能であるなどといった種々の効果を奏するものである。
【図面の簡単な説明】
【図１】  本発明の一実施例を示す斜視図である。
【図２】  本発明の一実施例を示す背面図である。
【図３】  本発明の載置棚の一実施例を示す平面図である。
【図４】  本発明の補強フレームの一実施例を示す平面図である。
【図５】  本発明のチムニーの装着例を示す正面図である。
【図６】  本発明のチムニーの装着例を示す要部斜視図である。
【図７】  本発明のチムニーの装着例を示す要部断面図である。
【符号の説明】
Ｓ 保管スペース
１ ラック         １Ａ 左側板
１Ｂ 右側板
１Ｆ 排気孔
２ 載置棚         ２Ａ ケーブル挿通孔
２Ｂ 補強枠
３ 扉             ３Ａ 排気孔
３Ｂ 後扉
４ ロック機構
５ チムニー       ５Ａ 杆体
６ 取付金具       ６Ａ 金具本体
６Ｂ 固定片
６Ｃ 係止片
６Ｄ 連結ボルト
６Ｅ 固定ネジ
７ 補強用フレーム
【図１】
0003777567.tif 000002
【図２】
0003777567.tif 000003
【図３】
0003777567.tif 000004
【図４】
0003777567.tif 000005
【図５】
0003777567.tif 000006
【図６】
0003777567.tif 000007
【図７】
0003777567.tif 000008